(57)【特許請求の範囲】
【請求項１】
既存の陳列棚に載置される板状の底台と、
前記底台の後端部位に立設される背面板と、
透明合成樹脂にて形成され、前記底台と前記背面板がなす入隅部分に所望の空間を設けて前記底台上に載置されて、所望の商品を陳列する小分け棚と、
シート状の少なくとも一方の面に所望の色彩を有し、前記背面板の上端部位から前記底台の前端部位にかけて配設され、前記小分け棚がなす空間部分にて湾曲形状部をなす色彩部材と、
を備えたことを特徴とする商品陳列台。
【請求項２】
前記色彩部材は、前記小分け棚の前記底台に接する突出部を含む底側辺を通すスリットを設けていることを特徴とする請求項１に記載の商品陳列台。
【請求項３】
既存の陳列棚に載置される板状の底台と、
前記底台の後端部位に立設される背面板と、
透明合成樹脂にて形成され、前記底台と前記背面板がなす入隅部分に所望の空間を設けて前記底台上に載置されて、所望の商品を陳列する小分け棚と、
シート状の少なくとも一方の面に所望の色彩を有し、前記小分け棚がなす空間部位にて前記小分け棚の後側上端から前側下端にかけて湾曲形状部をなすように配設された色彩部材と、
を備えたことを特徴とする商品陳列台。
【請求項４】
前記色彩部材は、金属蒸着の光沢面と透明色彩層を有する紙部材からなることを特徴とする請求項１乃至請求項３の何れかに記載の商品陳列台。
【請求項５】
前記底台と前記背面板がなす入隅部分に設けられ、前記色彩部材の湾曲形状部を裏面側から支持する支持部材を備えたことを特徴とする請求項１乃至請求項４の何れかに記載の商品陳列台。
【発明の詳細な説明】
【０００１】
【発明の属する技術分野】
本発明は、例えば既存の陳列棚などに載置されて商品を陳列する商品陳列台に関するものである。
【０００２】
【従来の技術】
例えば店頭などにある既存の陳列棚に各種の商品を陳列する際には、陳列棚に該商品を陳列する領域を確保すること、該商品を見やすく陳列すること、該商品を一際目立たせること、などに着目して既存の陳列棚に載置され該商品専用となる商品陳列台が採用されている。
【０００３】
従来の商品陳列台は、陳列棚にて商品を陳列する領域を確保するとともに、商品を見やすく陳列するための小分け棚をなしている。そして、陳列された商品を一際目立たせるために小分け棚に所望とする色彩が施されている。
【０００４】
色彩に関しては、陳列された商品を目立たせることが目的であるので、単色（原色）などのようにハッキリとした色使いよりも、むしろ淡く柔らかい複合色の方が目に優しく陳列された商品を引き立たせる傾向にあるので好ましい。
【０００５】
また、商品陳列台を構成する材質としては、着色の容易性、軽量化および低コスト化などを図るためにあらかじめ着色剤を合成樹脂に配合した着色合成樹脂材が多く使用されている。
【０００６】
【発明が解決しようとする課題】
しかしながら、上述した従来の商品陳列台では、色彩が施されている小分け棚が商品を陳列するための略水平面と略垂直面とで構成されている。これに対し、実際に消費者が商品を見る目線は斜め上方からであることが多い。このため、色彩に対して天井（上側から）照射される蛍光灯などの照明光が偏光してしまい、消費者の目線に対して色彩が暗く映ったり、意図する色彩として映らないことが多く、色彩によって商品を一際目立たせる効果が損なわれてしまうという問題がある。また、この問題を解消するため、商品陳列台に専用の照明装置を設けて採光することが考えられるが、電源を得るための配線によって商品陳列台自身の設置場所に制限が生じてしまう。
【０００７】
また、陳列する商品によっては、一定期間（例えば四季）で置き換えることがあり、この場合、商品陳列台側の色彩も同様に一定期間で変える要望がある。ところが、従来の商品陳列台では、小分け棚に基から色彩が施されているために、それ自体を変えなければならず、商品陳列台を交換する手間や、色彩の異なる商品陳列台を用意するコストがかかるという問題がある。
【０００８】
そこで本発明は、上記課題を解消するために、商品を一際目立たせるための所望の色彩を得ることができ、且つ、該色彩を容易に変更することができる商品陳列台を提供することを目的としている。
【０００９】
【課題を解決するための手段】
上記目的を達成するため本発明による請求項１に記載の商品陳列台は、
既存の陳列棚に載置される板状の底台と、
前記底台の後端部位に立設される背面板と、
透明合成樹脂にて形成され、前記底台と前記背面板がなす入隅部分に所望の空間を設けて前記底台上に載置されて、所望の商品を陳列する小分け棚と、
シート状の少なくとも一方の面に所望の色彩を有し、前記背面板の上端部位から前記底台の前端部位にかけて配設され、前記小分け棚がなす空間部分にて湾曲形状部をなす色彩部材と、
を備えたことを特徴とする。
【００１０】
請求項２に記載の商品陳列台は、請求項１に記載の商品陳列台において、
前記色彩部材は、前記小分け棚の前記底台に接する突出部を含む底側辺を通すスリットを設けていることを特徴とする。
【００１１】
請求項３に記載の商品陳列台は、
既存の陳列棚に載置される板状の底台と、
前記底台の後端部位に立設される背面板と、
透明合成樹脂にて形成され、前記底台と前記背面板がなす入隅部分に所望の空間を設けて前記底台上に載置されて、所望の商品を陳列する小分け棚と、
シート状の少なくとも一方の面に所望の色彩を有し、前記小分け棚がなす空間部位にて前記小分け棚の後側上端から前側下端にかけて湾曲形状部をなすように配設された色彩部材と、
を備えたことを特徴とする。
【００１２】
請求項４に記載の商品陳列台は、請求項１乃至請求項３の何れかに記載の商品陳列台において、
前記色彩部材は、金属蒸着の光沢面と透明色彩層を有する紙部材からなることを特徴とする。
【００１３】
請求項５に記載の商品陳列台は、請求項１乃至請求項４の何れかに記載の商品陳列台において、
前記底台と前記背面板がなす入隅部分に設けられ、前記色彩部材の湾曲形状部を裏面側から支持する支持部材を備えたことを特徴とする。
【００１４】
【発明の実施の形態】
以下、本発明の実施の形態を図面を参照して具体的に説明する。
図１は本発明の商品陳列台の一例を示す斜視図、図２は前記商品陳列台の側断面図、図３は小分け棚を示す斜視図、図４（ａ），（ｂ）は色彩部材を示す斜視図、図５は支持部材を示す斜視図である。
【００１５】
図１および図２に示すように、商品陳列台は、底台１と、背面板２と、小分け棚３と、色彩部材４とで構成される。
底台１は、板状に形成され、既存の陳列棚５上に載置される。背面板２は、板状に形成され、その下端部位２ａが、陳列棚５の奥側となる底台１の後端部位１ａに形成された凹溝部６に挿通されて立設される。すなわち、底台１と背面板２は、図２に示すように断面略Ｌ字状とされた基部をなす。また、底台１と背面板２がなす基部の両側部には、それぞれ側板７が設けられている。この側板７は、底台１，背面板２に接着などにより取り付けられる。なお、これら底台１，背面板２，側板７は、重量や取り扱いを考慮して軽量な合成樹脂材で形成されることが好ましい。
【００１６】
図１に示すように、小分け棚３は、所望とする商品を見やすく陳列するために各商品の大きさや形状に合わせて形成された複数の種類（本実施の形態では３ａ〜３ｄの四種類）を有している。各小分け棚３ａ〜３ｄは、例えば陳列する商品が化粧品である場合、小分け棚３ａでは、ファンデーションや口紅などを陳列できるように複数段の子棚８ａを備えている。小分け棚３ｂでは、マニキュアを陳列できるように二段の子棚８ｂを備え、且つ、各子棚８ｂの前端部にマニキュアのサンプルＭが取り付けられている。小分け棚３ｃでは、比較的細長形のマスカラや口紅などを陳列できるように二段の子棚８ｃを備えてる。小分け棚３ｄでは、比較的大きめのスポンジなどを陳列できるように二段の子棚８ｄを備えている。このように、各小分け棚３（３ａ〜３ｄ）は、階段状に形成された子棚８（８ａ〜８ｄ）を有している。
【００１７】
各小分け棚３ａ〜３ｄは、各子棚８ａ〜８ｄの両側部にそれぞれ側板９を有している。図３に示すように、側板９は、底台１の面に当接する底側辺９ａと、背面板２の面に当接する後側辺９ｂとにより、それぞれの子棚８ａ〜８ｄ（図３では子棚８ａ）を底台１上にて支持するように形成されている。これにより、各小分け棚３（３ａ〜３ｄ）が底台１上に載置される。また、図２に示すように、側板９は、底台１と背面板２がなす入隅部分を避けるように湾曲した湾曲辺９ｃを有している。
【００１８】
また、図２に示すように、側板９に支持されて底台１上に載置された小分け棚３（図２では小分け棚３ａ）は、上述の如く階段状とされた子棚８（図２では子棚８ａ）の形状により、底台１と背面板２がなす入隅部分に空間Ｓを設けて底台１上に載置される。
【００１９】
上記の如く構成された小分け棚３（３ａ〜３ｄ）は、透明な合成樹脂材にて形成されている。すなわち、小分け棚３（３ａ〜３ｄ）を底台１上に載置した状態にて、子棚８（８ａ〜８ｄ）および側板９を透かして底台１側および背面板２側が見えることとなる。
【００２０】
色彩部材４は、シート状に形成された紙部材などの少なくとも一方の面に各種の色彩を備えている。また、色彩部材４の色彩としては、各種の金属蒸着からなる金属色のみであってもよく、例えばアルミニウムなどのシルバー系、銅などのブロンズ系、銅と亜鉛の合金などのゴールド系があげられる。また、これら金属蒸着面に各種の透明着色インキあるいは塗装を設けることによって、金属光沢と各種色彩を共に備えたものとすることができる。また、色彩部材４は、色彩面（光沢を含む）をシート状の表裏面に有していてもよい。
【００２１】
色彩部材４は、図１および図２に示すように、色彩面を正面側に向け、背面板２の上端部位２ｂから底台１の前端部位１ｂに架けて配設される。また、色彩部材４は、小分け棚３（３ａ〜３ｄ）がなす空間Ｓ部分では湾曲形状部４ａをなす。
【００２２】
色彩部材４がなす湾曲形状部４ａの表面側は、小分け棚３（３ａ〜３ｄ）の側板９の湾曲辺９ｃに沿ってその形状が支持される。ここで、小分け棚３（３ａ〜３ｄ）の側板９は、陳列すべき商品の荷重を安定して支えるために底側辺９ａをできるだけ長く要し、底側辺９ａと湾曲辺９ｃとの間に、底側辺９ａを長く得るための突出部１０が設けられている。このため、本実施の形態では、色彩部材４の湾曲形状部４ａが側板９の湾曲辺９ｃに沿って当接するように、図４（ａ）に示す如く色彩部材４の突出部１０にあたる部分に突出部１０を含む底側辺９ａを通すスリット１１を設けている。なお、スリット１１は、図４（ｂ）に示すように、突出部１０のみを通すように形成されていてもよい。このようにすれば、底側辺９ａを長くしても、色彩部材４の湾曲形状部４ａをの側板９の湾曲辺９ｃに沿って当接させることができる。
【００２３】
また、色彩部材４がなす湾曲形状部４ａの裏面側は、支持部材１２によって支持される。図５に示すように、支持部材１２は、底板１３と側板１４とからなる。底板１３は、底台１の面に沿う板体であり、その一部が折曲形成されて底台１の面に形成された溝１ｃに係止する係止片１３ａを有している。側板１４は、底板１３に対して立設され、小分け棚３（３ａ〜３ｄ）の側板９の湾曲辺９ｃに沿う湾曲形状部４ａを裏面側から支持する湾曲辺１４ａを有している。この支持部材１２は、小分け棚３（３ａ〜３ｄ）がなす空間Ｓ内であって、小分け棚３（３ａ〜３ｄ）の側板９の間に配される。すなわち、色彩部材４の湾曲形状部４ａは、その裏面側が支持部材１２に支持され、且つ、表面側が小分け棚３（３ａ〜３ｄ）に支持され、表裏から挟まれるようにしてその形状が維持される。
【００２４】
なお、支持部材１２において、色彩部材４の湾曲形状部４ａを支持する構成として、側板１４がなす湾曲辺１４ａ以外に、図５にて湾曲辺１４ａを結ぶ一点鎖線の如く湾曲辺１４ａを面として構成するようにしてもよい。
【００２５】
また、底台１の前端部位１ｂには、表示部材１５が配設される。表示部材１５は、図２に示すように、底台１の前端部位１ｂに設けられた凹溝部１６に取り付けられ、既存の陳列棚５の前端を覆うように垂れ下がり延出する。また、表示部材１５は、底台１の前端部位１ｂから湾曲して延出し、その湾曲面に小分け棚３（３ａ〜３ｂ）に陳列される該当商品にかかる名前や金額などが記された札類１７が取り付けられる。
【００２６】
このように構成された商品陳列台では、透明な小分け棚３（３ａ〜３ｄ）の奥側にシート状の色彩部材４が色彩面を湾曲させて配されている。これにより、色彩部材４の色彩が商品を陳列する小分け棚３（３ａ〜３ｄ）を通して見れるので、陳列した商品の間から色彩が浮きでるようにして消費者の目に見えて、商品を一際目立たせることが可能となる。また、小分け棚３（３ａ〜３ｄ）が透明であるため色彩が透明感を有して見えるので、小分け棚３（３ａ〜３ｄ）自体に施されている色彩と比較して明るく感じさせることができる。
【００２７】
また、色彩部材４が、小分け棚３（３ａ〜３ｄ）の奥側にて湾曲形状部４ａをなしている。したがって、消費者が商品を見る斜め上方からの目線に対し、天井（上側から）照射される蛍光灯などの照明光が小分け棚３（３ａ〜３ｄ）を一旦通し湾曲形状部４ａを反射して消費者の目線に向かうこととなる。これにより、色彩部材４に施した所望の色彩が消費者の目線に対して商品と共に映るため、商品を一際目立たせる上記効果を相乗させることが可能となる。
【００２８】
特に、色彩部材４の色彩面が光沢を有していることにより、湾曲形状部４ａにて光が反射して色彩が浮きでるため、商品を一際目立たせる効果をより向上させることが可能となる。これにより、採光のための専用の照明装置を不要とすることができる。
【００２９】
また、色彩部材４は、小分け棚３（３ａ〜３ｄ）を底台１から外すことで容易に取り外して交換することができる。これにより、色彩の交換を容易、且つ、コストをかけずに行うことが可能である。また、色彩部材４は、シート状なので複数の色彩部材４を現在使用している色彩部材４の裏側に保管しておくことが可能である。さらに色彩部材４の表裏面に色彩が施してあれば、倍の数を保管できる。
【００３０】
また、支持部材１２の側板１４、および小分け棚３（３ａ〜３ｄ）の側板９により色彩部材４の湾曲形状部４ａの形状を維持するので、上記湾曲形状部４ａ部分を容易に整形することができる。さらに、支持部材１２の側板１４の湾曲辺１４ａや小分け棚３（３ａ〜３ｄ）の側板９の湾曲辺９ａが色彩部材４を挟むようにして支持しているので、湾曲辺９ａ，１４ａの形状変更によって色彩部材４の湾曲形状部４ａを図１および図２に示す弧状の形状以外に、波形などの湾曲が複合した形状にすることも可能である。
【００３１】
なお、上述した実施の形態では、色彩部材４を小分け棚３（３ａ〜３ｄ）の全てに連なる奥側にて配設した例で説明したが、この限りではない。例えば図６に示すように、それぞれの小分け棚３（図６では小分け棚３ａを示す）の側板９間である空間Ｓの部位にて、後側上端から前側下端にかけて湾曲形状部４ａをなすように色彩部材４を配設してもよい。この場合、湾曲形状部４ａは、各小分け棚３それぞれの各側板９間に配された前記支持部材１２にある湾曲辺１４ａによって裏面側から支持される。このように構成した場合、図６に示すように、各小分け棚３の側板９に湾曲辺９ｃを要せず底側辺９ａを長く設けて、小分け棚３の底台１上での安定した載置状態を得ることも可能となる。
【００３２】
【発明の効果】
以上説明したように本発明による請求項１に記載の商品陳列台は、透明な小分け棚に商品を陳列し、その奥側にシート状の色彩部材を湾曲させて配している。これにより色彩部材の色彩が商品を陳列する小分け棚を通して見れるので、陳列した商品の間から色彩が浮きでるようにして消費者の目に見えて、商品を一際目立たせることができる。特に、色彩部材の湾曲形状部により、消費者が商品を見る斜め上方からの目線に対し、天井（上側から）照射される蛍光灯などの照明光が小分け棚を介して反射して消費者の目線に向かうこととなる。これにより、色彩部材に施した所望の色彩が消費者の目線に対して商品と共に映るため、商品を一際目立たせる上記効果を相乗させることができる。
【００３３】
また、色彩部材は、小分け棚を底台から外すことで容易に取り外して交換することができる。これにより、色彩の交換を容易、且つ、コストをかけずに行うことが可能である。また、色彩部材は、シート状なので複数の色彩部材を現在使用している色彩部材の裏側に保管しておくことが可能である。
【００３４】
請求項２に記載の商品陳列台は、色彩部材が小分け棚の底台に接する突出部を含む底側辺を通すスリットを有している。これにより、色彩部材は小分け棚の側板にて湾曲形状部の形状を阻害されることがなく、また、小分け棚は安定して底台へ載置される。
【００３５】
請求項３に記載の商品陳列台は、色彩部材が、小分け棚がなす空間部位にて小分け棚の後側上端から前側下端にかけて湾曲形状部をなすように配設されている。即ち、小分け棚が底台に複数に分割されて載置されている場合に、それぞれの小分け棚に対応して上記効果を奏する色彩部材を設けることができる。
【００３６】
請求項４に記載の商品陳列台は、色彩部材が金属蒸着の光沢面と透明色彩層を有する紙部材からなるので、湾曲形状部にて光が反射して色彩が浮きでるため、商品を一際目立たせる効果をより向上させることができる。また、前記光沢により採光のための専用の照明装置を不要とすることができる。
【００３７】
請求項５に記載の商品陳列台は、色彩部材の湾曲形状部を支持する支持部材にて、上記効果を得るための色彩部材の湾曲形状部の形状を容易に整形することができる。
【図面の簡単な説明】
【図１】本発明の商品陳列台の一例を示す斜視図。
【図２】前記商品陳列台の側断面図。
【図３】小分け棚を示す斜視図。
【図４】（ａ）（ｂ）色彩部材を示す斜視図。
【図５】支持部材を示す斜視図。
【図６】色彩部材の他の配置例を示す斜視図。
【符号の説明】
１…底台、１ａ…後端部位、１ｂ…前端部位、２…背面板、２ａ…下端部位、２ｂ…上端部位、３（３ａ〜３ｄ）…小分け棚、４…色彩部材、４ａ…湾曲形状部、５…陳列棚、９ａ…底側辺、１０…突出部、１１…スリット、１２…支持部材、Ｓ…空間。
【図１】
0003701848.tif 000002
【図２】
0003701848.tif 000003
【図３】
0003701848.tif 000004
【図４】
0003701848.tif 000005
【図５】
0003701848.tif 000006
【図６】
0003701848.tif 000007